(57)【要約】      （修正有）【課題】会場型オークションにおける競りに慣れた人でも通信型オークションシステムでとまどいなく操作しうる競り用端末装置および売り手の操作を考慮した競り用端末装置を提供する。【解決手段】ＣＰＵ（６）と、回線コネクタ（１）と、通信インタフェース部（５）と、ＰＣコネクタ（３）と、ＰＣインタフェース部（７）と、応札／決定スイッチ（１１）と、応札／決定ランプ（２１）と、スタートスイッチ（１２）と、スタートランプ（２２）と、うりきり／スロースイッチ（１３）と、うりきり／スローランプ（２３）と、流れスイッチ（１４）と、流れランプ（２４）とを具備する。【選択図】図３
2007128274.tif 000002
【特許請求の範囲】
【請求項１】
ＣＰＵ（６）と、通信回線を接続するための回線コネクタ（１）と、前記ＣＰＵ（６）と前記回線コネクタ（１）の間に介在する通信インタフェース部（５）と、パソコンと接続するためのＰＣコネクタ（３）と、前記ＣＰＵ（６）と前記ＰＣコネクタ（３）の間に介在するＰＣインタフェース部（７）と、応札／決定スイッチ（１１）と、応札／決定ランプ（２１）とを具備し、
前記ＣＰＵ（６）は、前記ＰＣコネクタ（３）を通してパソコンに接続すると共に前記通信コネクタ（１）および通信回線を通して競りサーバに買い手として接続し、競り価格を含む競り情報を前記競りサーバから受信すると前記パソコンに競り情報を送信し、「応札／決定スイッチ状態問い合わせ」を前記競りサーバから受信すると前記応札／決定スイッチ（１１）の状態を前記競りサーバに送信し、「応札／決定ランプ点灯コマンド」を前記競りサーバから受信するとそれに応じて応札／決定ランプ（２１）を点灯または点滅または消灯することを特徴とする競り用端末装置（１０）。
【請求項２】
ＣＰＵ（６）と、通信回線を接続するための回線コネクタ（１）と、前記ＣＰＵ（６）と前記回線コネクタ（１）の間に介在する通信インタフェース部（５）と、パソコンと接続するためのＰＣコネクタ（３）と、前記ＣＰＵ（６）と前記ＰＣコネクタ（３）の間に介在するＰＣインタフェース部（７）と、スタートスイッチ（１２）と、スタートランプ（２２）と、うりきり／スロースイッチ（１３）と、うりきり／スローランプ（２３）と、流れスイッチ（１４）と、流れランプ（２４）とを具備し、
前記ＣＰＵ（６）は、前記ＰＣコネクタ（３）を通してパソコンに接続すると共に前記通信コネクタ（１）および通信回線を通して競りサーバに売り手として接続し、競り価格を含む競り情報を前記競りサーバから受信すると前記パソコンに競り情報を送信し、「売りスイッチ状態問い合わせ」を前記競りサーバから受信すると前記スタートスイッチ（１２）と前記うりきり／スロースイッチ（１３）と前記流れスイッチ（１４）の状態を前記競りサーバに送信し、「売りランプ点灯コマンド」を前記競りサーバから受信するとそれに応じて前記スタートランプ（２２）と前記うりきり／スローランプ（２３）と前記流れランプ（２４）を点灯または点滅または消灯することを特徴とする競り用端末装置（１０）。
【請求項３】
ＣＰＵ（６）と、通信回線を接続するための回線コネクタ（１）と、前記ＣＰＵ（６）と前記回線コネクタ（１）の間に介在する通信インタフェース部（５）と、パソコンと接続するためのＰＣコネクタ（３）と、前記ＣＰＵ（６）と前記ＰＣコネクタ（３）の間に介在するＰＣインタフェース部（７）と、応札／決定スイッチ（１１）と、応札／決定ランプ（２１）と、スタートスイッチ（１２）と、スタートランプ（２２）と、うりきり／スロースイッチ（１３）と、うりきり／スローランプ（２３）と、流れスイッチ（１４）と、流れランプ（２４）とを具備し、
前記ＣＰＵ（６）は、前記ＰＣコネクタ（３）を通してパソコンに接続すると共に前記パソコンからの指示に応じて前記通信コネクタ（１）および通信回線を通して競りサーバに買い手または売り手として接続し、競り価格を含む競り情報を前記競りサーバから受信すると前記パソコンに競り情報を送信し、買い手として接続したときに「応札／決定スイッチ状態問い合わせ」を前記競りサーバから受信すると前記応札／決定スイッチ（１１）の状態を前記競りサーバに送信し、「応札／決定ランプ点灯コマンド」を前記競りサーバから受信するとそれに応じて応札／決定ランプ（２１）を点灯または点滅または消灯し、売り手として接続したときは「売りスイッチ状態問い合わせ」を前記競りサーバから受信すると前記スタートスイッチ（１２）と前記うりきり／スロースイッチ（１３）と前記流れスイッチ（１４）の状態を前記競りサーバに送信し、「売りランプ点灯コマンド」を前記競りサーバから受信するとそれに応じて前記スタートランプ（２２）と前記うりきり／スローランプ（２３）と前記流れランプ（２４）を点灯または点滅または消灯することを特徴とする競り用端末装置（１０）。
【請求項４】
請求項１または請求項３に記載の競り用端末装置（１０）において、複数の競りサーバの一つを買い手が選択するための競りサーバ選択スイッチ（１２，１３）を具備し、前記ＣＰＵ（６）は、前記競りサーバ選択スイッチ（１２，１３）で選択された競りサーバに前記通信コネクタ（１）および通信回線を通して接続することを特徴とする競り用端末装置（１０）。
【請求項５】
請求項１または請求項３または請求項４に記載の競り用端末装置（１０）において、前記応札／決定スイッチ（１１）がフォトインタラプタ方式の無接点スイッチであることを特徴とする競り用端末装置（１０）。
【請求項６】
請求項１から請求項５に記載の競り用端末装置（１０）において、前記通信インタフェース部（５）がアナログモデムであることを特徴とする競り用端末装置（１０）。
【発明の詳細な説明】
【技術分野】
【０００１】
本発明は、競り用端末装置に関し、さらに詳しくは、通信型オークションに適合した構成の競り用端末装置に関する。
【背景技術】
【０００２】
従来、競り用端末装置から通信回線を介して競りサーバに接続する通信型オークションシステムが知られている（例えば、特許文献１、２参照。）。
【特許文献１】特開２００５−１８２６７号公報
【特許文献２】特開２００４−２５２７６５号公報
【発明の開示】
【発明が解決しようとする課題】
【０００３】
上記従来の通信型オークションシステムでは、競り用端末装置としてパソコンを用いていた。
しかし、パソコンを用いての競り操作は、会場型オークションにおける競り操作との違いが大きく、会場型オークションにおける競りに慣れた人をとまどわせる問題点があった。また、売り手の操作を考慮していない問題点があった。
そこで、本発明の目的は、会場型オークションにおける競りに慣れた人でも通信型オークションシステムでとまどいなく操作しうる競り用端末装置および売り手の操作を考慮した競り用端末装置を提供することにある。
【課題を解決するための手段】
【０００４】
第１の観点では、本発明は、ＣＰＵ（６）と、通信回線を接続するための回線コネクタ（１）と、前記ＣＰＵ（６）と前記回線コネクタ（１）の間に介在する通信インタフェース部（５）と、パソコンと接続するためのＰＣコネクタ（３）と、前記ＣＰＵ（６）と前記ＰＣコネクタ（３）の間に介在するＰＣインタフェース部（７）と、応札／決定スイッチ（１１）と、応札／決定ランプ（２１）とを具備し、前記ＣＰＵ（６）は、前記ＰＣコネクタ（３）を通してパソコンに接続すると共に前記通信コネクタ（１）および通信回線を通して競りサーバに買い手として接続し、競り価格を含む競り情報を前記競りサーバから受信すると前記パソコンに競り情報を送信し、「応札／決定スイッチ状態問い合わせ」を前記競りサーバから受信すると前記応札／決定スイッチ（１１）の状態を前記競りサーバに送信し、「応札／決定ランプ点灯コマンド」を前記競りサーバから受信するとそれに応じて応札／決定ランプ（２１）を点灯または点滅または消灯することを特徴とする競り用端末装置（１０）を提供する。
上記第１の観点による競り用端末装置（１０）では、買い手は、応札／決定スイッチ（１１）を操作することで応札できるため、会場型オークションにおける競り操作との違いが小さく、会場型オークションにおける競りに慣れた人でも通信型オークションシステムでとまどいなく操作できる。また、応札／決定ランプ（２１）の点灯または点滅または消灯により、操作に対する競りサーバの反応を買い手に視覚的に伝えることが出来る。
【０００５】
第２の観点では、本発明は、ＣＰＵ（６）と、通信回線を接続するための回線コネクタ（１）と、前記ＣＰＵ（６）と前記回線コネクタ（１）の間に介在する通信インタフェース部（５）と、パソコンと接続するためのＰＣコネクタ（３）と、前記ＣＰＵ（６）と前記ＰＣコネクタ（３）の間に介在するＰＣインタフェース部（７）と、スタートスイッチ（１２）と、スタートランプ（２２）と、うりきり／スロースイッチ（１３）と、うりきり／スローランプ（２３）と、流れスイッチ（１４）と、流れランプ（２４）とを具備し、前記ＣＰＵ（６）は、前記ＰＣコネクタ（３）を通してパソコンに接続すると共に前記通信コネクタ（１）および通信回線を通して競りサーバに売り手として接続し、競り価格を含む競り情報を前記競りサーバから受信すると前記パソコンに競り情報を送信し、「売りスイッチ状態問い合わせ」を前記競りサーバから受信すると前記スタートスイッチ（１２）と前記うりきり／スロースイッチ（１３）と前記流れスイッチ（１４）の状態を前記競りサーバに送信し、「売りランプ点灯コマンド」を前記競りサーバから受信するとそれに応じて前記スタートランプ（２２）と前記うりきり／スローランプ（２３）と前記流れランプ（２４）を点灯または点滅または消灯することを特徴とする競り用端末装置（１０）を提供する。
上記第２の観点による競り用端末装置（１０）では、売り手は、スタートスイッチ（１２）と、うりきり／スロースイッチ（１３）と、流れスイッチ（１４）とを操作することで、競りの進行に売り手の意志を反映させることが出来る。また、スタートランプ（２２）と、うりきり／スローランプ（２３）と、流れランプ（２４）の点灯または点滅または消灯により、操作に対する競りサーバの反応を売り手に視覚的に伝えることが出来る。
【０００６】
第３の観点では、本発明は、ＣＰＵ（６）と、通信回線を接続するための回線コネクタ（１）と、前記ＣＰＵ（６）と前記回線コネクタ（１）の間に介在する通信インタフェース部（５）と、パソコンと接続するためのＰＣコネクタ（３）と、前記ＣＰＵ（６）と前記ＰＣコネクタ（３）の間に介在するＰＣインタフェース部（７）と、応札／決定スイッチ（１１）と、応札／決定ランプ（２１）と、スタートスイッチ（１２）と、スタートランプ（２２）と、うりきり／スロースイッチ（１３）と、うりきり／スローランプ（２３）と、流れスイッチ（１４）と、流れランプ（２４）とを具備し、前記ＣＰＵ（６）は、前記ＰＣコネクタ（３）を通してパソコンに接続すると共に前記パソコンからの指示に応じて前記通信コネクタ（１）および通信回線を通して競りサーバに買い手または売り手として接続し、競り価格を含む競り情報を前記競りサーバから受信すると前記パソコンに競り情報を送信し、買い手として接続したときに「応札／決定スイッチ状態問い合わせ」を前記競りサーバから受信すると前記応札／決定スイッチ（１１）の状態を前記競りサーバに送信し、「応札／決定ランプ点灯コマンド」を前記競りサーバから受信するとそれに応じて応札／決定ランプ（２１）を点灯または点滅または消灯し、売り手として接続したときは「売りスイッチ状態問い合わせ」を前記競りサーバから受信すると前記スタートスイッチ（１２）と前記うりきり／スロースイッチ（１３）と前記流れスイッチ（１４）の状態を前記競りサーバに送信し、「売りランプ点灯コマンド」を前記競りサーバから受信するとそれに応じて前記スタートランプ（２２）と前記うりきり／スローランプ（２３）と前記流れランプ（２４）を点灯または点滅または消灯することを特徴とする競り用端末装置（１０）を提供する。
上記第３の観点による競り用端末装置（１０）では、買い手は、応札／決定スイッチ（１１）を押すことで応札できるため、会場型オークションにおける競り操作との違いが小さく、会場型オークションにおける競りに慣れた人でも通信型オークションシステムでとまどいなく操作できる。また、応札／決定ランプ（２１）の点灯または点滅または消灯により、操作に対する競りサーバの反応を買い手に視覚的に伝えることが出来る。
また、売り手は、スタートスイッチ（１２）と、うりきり／スロースイッチ（１３）と、流れスイッチ（１４）とを操作することで、競りの進行に売り手の意志を反映させることが出来る。また、スタートランプ（２２）と、うりきり／スローランプ（２３）と、流れランプ（２４）の点灯または点滅または消灯により、操作に対する競りサーバの反応を売り手に視覚的に伝えることが出来る。
【０００７】
第４の観点では、本発明は、前記第１または前記第３の観点による競り用端末装置（１０）において、複数の競りサーバの一つを買い手が選択するための競りサーバ選択スイッチ（１２，１３）を具備し、前記ＣＰＵ（６）は、前記競りサーバ選択スイッチ（１２，１３）で選択された競りサーバに前記通信コネクタ（１）および通信回線を通して接続することを特徴とする競り用端末装置（１０）を提供する。
上記第４の観点による競り用端末装置（１０）では、複数の競りサーバの一つを買い手が選択できるため、複数の商品の中から一つを選んでオークションに参加することが出来る。
【０００８】
第５の観点では、本発明は、前記第１または前記第３または前記第４の観点による競り用端末装置（１０）において、前記応札／決定スイッチ（１１）がフォトインタラプタ方式の無接点スイッチであることを特徴とする競り用端末装置（１０）を提供する。
上記第５の観点による競り用端末装置（１０）では、応札／決定スイッチ（１１）がフォトインタラプタ方式の無接点スイッチであるため、タタキ動作と呼ばれる応札時の買い手の操作にも誤動作なく対応できる。
【０００９】
第６の観点では、本発明は、前記第１から前記第５の観点による競り用端末装置（１０）において、前記通信インタフェース部（５）がアナログモデムであることを特徴とする競り用端末装置（１０）を提供する。
上記第６の観点による競り用端末装置（１０）では、通信インタフェース部（５）がアナログモデムであるため、電話回線のような一般的な通信回線を利用できる。
【発明の効果】
【００１０】
本発明の競り用端末装置によれば、会場型オークションにおける競りに慣れた人でも通信型オークションシステムでとまどいなく操作することが出来る。また、売り手も操作することが出来る。
【発明を実施するための最良の形態】
【００１１】
以下、図に示す実施の形態により本発明をさらに詳細に説明する。なお、これにより本発明が限定されるものではない。
【実施例１】
【００１２】
図１は、実施例１にかかる競り用端末装置１０を示す平面図である。
この競り用端末装置１０は、ハンドユニット１０１と、台座１０２と、ハンドユニット１０１と台座１０２とをつなぐケーブル１０３とからなる。
【００１３】
ハンドユニット１０１には、応札／決定スイッチ１１と、応札／決定ランプ２１とが設けられている。応札／決定スイッチ１１は、フォトインタラプタ方式の無接点スイッチである。
【００１４】
台座１０２には、スタートスイッチ１２と、スタートランプ２２と、うりきり／スロースイッチ１３と、うりきり／スローランプ２３と、流れスイッチ１４と、流れランプ２４とが設けられている。スタートスイッチ１２と、うりきり／スロースイッチ１３と、流れスイッチ１４は、フォトインタラプタ方式の無接点スイッチである。
【００１５】
この競り用端末装置１０を買い手が使うときは、スタートスイッチ１２がＡレーン選択スイッチとなり、スタートランプ２２がＡレーン選択ランプとなり、うりきり／スロースイッチ１３がＢレーン選択スイッチとなり、うりきり／スローランプ２３がＡレーン選択ランプとなる。
【００１６】
図２は、競り用端末装置１０の左側面図である。
台座１０２の左側面には、通信回線を接続するための回線コネクタ１と、電話機やファクシミリを接続するための電話機コネクタ２と、パソコンと接続するためのＰＣコネクタ３とが設けられている。
なお、ハンドユニット１０１は台座１０２に載置することが出来る。
【００１７】
図３は、通信型オークション１００の構成説明図である。なお、添え字のａ，ｂ，ｃは使用者の違いを表しており、共通する説明では添え字を省略することがある。
この通信型オークション１００において、ブロードバンドネットワーク３１には、スプリッタ３２を介して、売り手Ａの競り用端末装置１０ａとＡＤＳＬモデム６０が接続され、その競り用端末装置１０ａに電話機またはファクシミリ４０ａが接続され、さらに競り用端末装置１０ａにパソコン５０ａが接続されている。同様に、売り手Ｂの競り用端末装置１０ｂ，電話機またはファクシミリ４０ｂおよびパソコン５０ｂがブロードバンドネットワーク３１に接続されている。また、買い手Ｃの競り用端末装置１０ｃ，電話機またはファクシミリ４０ｃおよびパソコン５０ｃがブロードバンドネットワーク３１に接続されている。さらに、Ａレーン競りサーバ３０ａおよびＢレーン競りサーバ３０ｂがブロードバンドネットワーク３１に接続されている。
【００１８】
競り用端末装置１０（１０ａ，１０ｂ，１０ｃ）は、ＣＰＵ６を備えている。
ＣＰＵ６には、応札／決定スイッチ１１と、応札／決定ランプ２１と、スタートスイッチ１２と、スタートランプ２２と、うりきり／スロースイッチ１３と、うりきり／スローランプ２３と、流れスイッチ１４と、流れランプ２４とが接続されている。
【００１９】
また、競り用端末装置１０ａは、回線切替部４と、アナログモデム部５とを備えている。
回線切替部４は、通常は回線コネクタ１と電話機コネクタ２とを接続しているが、ＣＰＵ６の制御によって回線コネクタ１とアナログモデム部５とを接続するように切り替える。
アナログモデム部５は、ＣＰＵ６と回線切替部４の間で信号形式を変換する。
【００２０】
また、競り用端末装置１０ａは、シリアル／ＵＳＢインタフェース７を備えている。
シリアル／ＵＳＢインタフェース７は、ＣＰＵ６とＰＣコネクタ３の間で信号形式を変換する。
【００２１】
［売り手Ａの動作］
（１）売り手Ａは、パソコン５０ａで売り手用アプリケーションを立ち上げる。
（２）売り手用アプリケーションは、パソコン５０ａを介して、Ａレーン競りサーバ３０ａおよびＢレーン競りサーバ３０ｂのどちらに接続するかを売り手Ａに問い合わせる。
（３）売り手Ａがパソコン５０ａを介してＡレーン競りサーバ３０ａを選択したとすると、売り手用アプリケーションは、売り手Ａのパソコン５０ａに繋がった競り用端末装置１０ａを介して、Ａレーン競りサーバ３０ａに売り手として接続する。
（４）売り手用アプリケーションは、Ａレーン競りサーバ３０ａから間欠的に送られてくる最新の競り情報（売り手Ａの商品の写真や詳細説明や競り価格）を受け取り、パソコン５０ａに表示する。
（５）競り用端末装置１０ａは、Ａレーン競りサーバ３０ａから間欠的に来る「売りスイッチ状態の問い合わせ」を待つ。Ａレーン競りサーバ３０ａから「売りスイッチ状態の問い合わせ」が来たら、Ａレーン競りサーバ３０ａへスタートスイッチ１２，うりきり／スロースイッチ１３および流れスイッチ１４が押されたか否かを通知し、Ａレーン競りサーバ３０ａから「売りランプ点灯コマンド」が来るのを待つ。Ａレーン競りサーバ３０ａから「売りランプ点灯コマンド」が来たら、その「売りランプ点灯コマンド」に応じてスタートランプ２２，うりきり／スローランプ２３および流れランプ２４を点灯または消灯する。
（６）売り手Ａは、競りをスタートさせたい時に競り用端末装置１０ａのスタートスイッチ１２を押す。また、商品を売り切りたいときは競り用端末装置１０ａの売り切り／スロースイッチ１３を押す。また、「売り切り」を指示した後、同一競り価格での応札待機時間を長くしたいときは、競り用端末装置１０ａの売り切り／スロースイッチ１３を押す。さらに、競りを流したいときは、競り用端末装置１０ａの流れスイッチ１４を押す。
【００２２】
［売り手Ｂの動作］
売り手Ａの動作と同じであるが、売り手ＢがＢレーン競りサーバ３０ｂを選択したものとすると、売り手Ｂのパソコン５０ｂは、パソコン５０ｂに繋がった競り用端末装置１０ｂを介して、Ｂレーン競りサーバ３０ｂに接続する。
【００２３】
［買い手Ｃの動作］
（１）買い手Ｃは、パソコン５０ｃで買い手用アプリケーションを立ち上げる。
（２）買い手用アプリケーションは、買い手Ｃのパソコン５０ｃに繋がった競り用端末装置１０ｃを介して、Ａレーン競りサーバ３０ａに買い手として接続し、Ａレーン競りサーバ３０ａから競り情報を受け取り、パソコン５０ｃに表示する。次に、Ｂレーン競りサーバ３０ｂに買い手として接続し、Ｂレーン競りサーバ３０ｂから競り情報を受け取り、Ａレーン競りサーバ３０ａからの競り情報に並べて、パソコン５０ｃに表示する。そして、パソコン５０ｃを介して、Ａレーン競りサーバ３０ａおよびＢレーン競りサーバ３０ｂのどちらの競りに参加するかを買い手Ｃに問い合わせる。
（３）買い手Ｃは、Ａレーン競りサーバ３０ａの競りに参加するときは競り用端末装置１０ｃのスタートスイッチ（Ａレーン選択スイッチ）１２を押す。一方、Ｂレーン競りサーバ３０ｂの競りに参加するときは売り切り／スロースイッチ（Ｂレーン選択スイッチ）１３を押す。
（４）競り用端末装置１０ｃのスタートスイッチ（Ａレーン選択スイッチ）１２が押されたら、競り用端末装置１０ｃはスタートランプ（Ａレーン選択ランプ）２２を点灯すると共にＡレーン競りサーバ３０ａに買い手として接続する。そして、Ａレーン競りサーバ３０ａから間欠的に最新の競り情報を受け取り、パソコン５０ｃに表示する。一方、競り用端末装置１０ｃの売り切り／スロースイッチ１３が押されたら、競り用端末装置１０ｃは売り切り／スローランプ（Ｂレーン選択ランプ）２３を点灯すると共にＢレーン競りサーバ３０ｂに買い手として接続する。そして、Ｂレーン競りサーバ３０ｂから間欠的に最新の競り情報を受け取り、パソコン５０ｃに表示する。
（５）買い手用アプリケーションは、接続した競りサーバ３０から「競りスタートの通知」が来るのを待ち、「競りスタートの通知」が来たらパソコン５０ｃの画面に「スタート」を表示する。
（６）競り用端末装置１０ｃは、接続した競りサーバ３０から間欠的に来る「買いスイッチ状態の問い合わせ」を待つ。接続した競りサーバ３０から「買いスイッチ状態の問い合わせ」が来たら、競りサーバ３０へ応札／決定スイッチ１１が押されたか否かを通知し、接続した競りサーバ３０から「買いランプ点灯コマンド」が来るのを待つ。接続した競りサーバ３０から「買いランプ点灯コマンド」が来たら、その「買いランプ点灯コマンド」に応じて応札／決定ランプ２１を点灯または点滅または消灯する。
（７）買い手Ｃは、パソコン５０ｃの画面に「スタート」が表示された後、パソコン５０ｃの画面に表示された競り価格で応札しようと思えば応札／決定スイッチ１１を押す。応札しない場合は何もしない。また、買い手Ｃは、応札／決定スイッチ１１を押したときに応札／決定ランプ２１が点灯した時は自分が最初に応札したものと理解する。また、応札／決定ランプ２１が点灯したがすぐ消えた時は自分が最初に応札したが他にも応札者がいたものと理解する。また、応札／決定ランプ２１が点灯し続けている時は自分だけが応札者であると理解する。また、応札／決定スイッチ１１を押しても応札／決定ランプ２１が点灯しない時は自分より先に応札した者がいたものと理解する。そして、応札／決定ランプ２１が点灯し続けている時以外は、買い手Ｃは、更新された競り価格に対して応札するか否かを判断して、再び応札／決定スイッチ１１を操作する。また、応札／決定ランプ２１が点灯し続けている時は、買い手Ｃは、落札するか否かを判断して、落札するときは応札／決定スイッチ１１を再び押し、落札しないときは応札／決定スイッチ１１を押さない。なお、応札／決定ランプ２１が点灯し続けている時に買い手Ｃが応札／決定スイッチ１１を押すと、応札／決定ランプ２１は点滅になる。
【００２４】
［Ａレーン競りサーバ３０ａの動作］
（１）Ａレーン競りサーバ３０ａは、売り手Ａの商品の写真や詳細説明や競り開始価格を保持している。また、売り手Ａや売り手Ｂや買い手Ｃの認識情報を保持している。
（２）売り手Ａや売り手Ｂや買い手Ｃからの接続要求があると、認証した上で接続する。
（３）売り手Ａと接続したときは、間欠的に最新の競り情報を売り手Ａへ送信する。また、間欠的に「売りスイッチ状態の問い合わせ」を売り手Ａの競り用端末装置１０ａに送信し、それに応じて返信されてきたスタートスイッチ１２，うりきり／スロースイッチ１３および流れスイッチ１４が押されたか否かの情報を受け取る。
（４）競りを開始する前にスタートスイッチ１２が押されたときは、スタートランプ２２を点灯する「売りランプ点灯コマンド」を売り手Ａの競り用端末装置１０ａに送信し、接続している買い手のパソコン５０へ「競りスタートの通知」を送信する。競りを開始した後にスタートスイッチ１２が押されたときは無視する。
（５）競りを開始した後、最初にうりきり／スロースイッチ１３が押されたときは、うりきり／スローランプ２３を点灯する「売りランプ点灯コマンド」を売り手Ａの競り用端末装置１０ａに送信し、予定の落札最低価格に達しない場合でも最高の競り価格で応札したものに落札させる。競りを開始した後、２回目にうりきり／スロースイッチ１３が押されたときは、一つの競り価格に対する応札待機時間を長くする。競りを開始した後、３回目以降にうりきり／スロースイッチ１３が押されたとき及び競りを開始する前にうりきり／スロースイッチ１３が押されたときは無視する。なお、うりきり／スロースイッチ１３が押されなかったときは、予定の落札最低価格に達しない場合は流れとする。
（６）競りを開始した後に流れスイッチ１４が押されたときは、流れランプ２４を点灯すると共にスタートランプ２２およびうりきり／スローランプ２３を消灯する「売りランプ点灯コマンド」を売り手Ａの競り用端末装置１０ａに送信し、競りを流れとする。競りを開始する前に流れスイッチ１４が押されたときは無視する。
（７）買い手Ｃと接続したときは、間欠的に最新の競り情報を買い手Ｃへ送信する。
（８）競りを開始した直後は、接続している全ての買い手の競り用端末装置１０にランダムな順で「買いスイッチ状態の問い合わせ」を送信し、それに応じて返信されてきた応札／決定スイッチ１１が押されたか否かの情報を受け取る。この後は、直前の競り価格に対して応札／決定スイッチ１１を押した買い手の競り用端末装置１０のみにランダムな順で「買いスイッチ状態の問い合わせ」を送信し、それに応じて返信されてきた応札／決定スイッチ１１が押されたか否かの情報を受け取る。
（９）１番目に応札／決定スイッチ１１を押した買い手の競り用端末装置１０には応札／決定ランプ２１を点灯する「買いランプ点灯コマンド」を送信する。そして、応札待機時間中に他に応札／決定スイッチ１１を押した買い手があれば、１番目に応札／決定スイッチ１１を押した買い手の競り用端末装置１０に応札／決定ランプ２１を消灯する「買いランプ点灯コマンド」を送信する。また、応札待機時間中に応札／決定スイッチ１１を押した買い手が１人しかなくても、うりきりでない場合は、その買い手の競り用端末装置１０に応札／決定ランプ２１を消灯する「買いランプ点灯コマンド」を送信する。そして、競り情報の競り価格をアップし、競りを継続する。
（１０）応札待機時間中に応札／決定スイッチ１１を押した買い手が１人しかなく、うりきりか又は予定の落札最低価格に達していた場合は、応札／決定スイッチ１１を押した買い手が落札したものとし、その買い手の競り用端末装置１０に応札／決定ランプ２１を点滅する「買いランプ点灯コマンド」を送信する。
（１１）応札待機時間中に応札／決定スイッチ１１を押した買い手が１人もいない場合は、競りを流れとする。
【００２５】
実施例１の競り用端末装置１０ｃによれば、買い手Ｃは、応札／決定スイッチ１１を押すことで応札できるため、会場型オークションにおける競り操作との違いが小さく、会場型オークションにおける競りに慣れた人でも通信型オークションシステムでとまどいなく操作できる。また、応札／決定ランプ２１の点灯または点滅または消灯により、操作に対する競りサーバの反応を買い手に視覚的に伝えることが出来る。また、競り用端末装置１０ａによれば、売り手Ａは、スタートスイッチ１２と、うりきり／スロースイッチ１３と、流れスイッチ１４とを操作することで、競りの進行に売り手Ａの意志を反映させることが出来る。また、スタートランプ２２と、うりきり／スローランプ２３と、流れランプ２４の点灯または点滅または消灯により、操作に対する競りサーバ３０の反応を売り手Ａに視覚的に伝えることが出来る。
【００２６】
なお、競り用端末装置１０のＣＰＵソフトウエアの更新が必要となった場合、パソコン５０から更新することが出来る。
【産業上の利用可能性】
【００２７】
本発明の競り用端末装置は、通信型オークションに好適である。
【図面の簡単な説明】
【００２８】
【図１】実施例１に係る競り用端末装置を示す平面図である。
【図２】実施例１に係る競り用端末装置を示す側面図である。
【図３】実施例１に係る通信型オークションシステムを示す構成説明図である。
【符号の説明】
【００２９】
１                    通信コネクタ
３                    ＰＣコネクタ
５                    アナログモデム部
６                    ＣＰＵ
７                    シリアル／ＵＳＢインタフェース
１０，１０ａ，１０ｂ，１０ｃ      競り用端末装置
１１                  応札／決定スイッチ
１２                  スタート（Ａレーン選択）スイッチ
１３                  うりきり／スロー（Ｂレーン選択）スイッチ
１４                  流れスイッチ
２１                  応札／決定ランプ
２２                  スタート（Ａレーン選択）ランプ
２３                  うりきり／スロー（Ｂレーン選択）ランプ
２４                  流れランプ
３０ａ                Ａレーン競りサーバ
３０ｂ                Ｂレーン競りサーバ
３１                  ブロードバンドネットワーク
１００                通信型オークションシステム
【図１】
2007128274.tif 000003
【図２】
2007128274.tif 000004
【図３】
2007128274.tif 000005